(57)【要約】【目的】とぎれやすいインキを使用した、主として、容器の側面を押圧する煩わしさの無い修正用のボールペンを容易な加圧機構によって提供可能とする。【構成】ポンピング式の加圧機構が設けられてなる加圧式のボールペンに於いて、フォロアの後端に対面する位置に、シール面と段部が形成され、その段部に止着されると共にシール面に常時は密接して、フォロアの後端との間の空間を密閉する弾性体よりなる弁機構部と、その弁機構部の後方に、ノックスプリングによって常時後方に附勢された状態で前後退可能にノック棒が設けられて、前進させた時に弁機構部とノック棒の前端との間に形成される空間部が圧縮されてなるノック機構部とで構成され、空間部が適宜圧縮された状態でその内圧増加によって、弁体と前記シール面との間に隙間を生じ、流入した空気によってフォロアの後端が加圧される。【選択図】　　　　　　　　図３
2004050798.tif 000002
【特許請求の範囲】
【請求項１】
先端にボールペンのチップと後方にインキ収容管を備え、インキ収容管にインキとインキの後端にインキと追随するフォロアが充填されて、更にその後方のインキ収容管またはインキ収容管の後端に一体となるように設けられた筒体の内孔にポンピング式の加圧機構が設けられてなる加圧式のボールペンに於いて、
前記ポンピング式の加圧機構は、フォロアの後端に対面する位置に、シール面と段部が形成され、その段部に止着されると共にシール面に常時は密接して、フォロアの後端との間の空間を密閉する弾性体よりなる弁機構部と、その弁機構部の後方に、ノックスプリングによって常時後方に附勢された状態で前後退可能にノック棒が設けられて、前進させた時に前記弁機構部とノック棒の前端との間に形成される空間部が圧縮されてなるノック機構部とで構成され、前記空間部が適宜圧縮された状態でその内圧増加によって、弁体と前記シール面との間に隙間を生じるように構成されたことを特徴とする加圧式のボールペン。
【請求項２】
インキ収容管には、少なくとも酸化チタン、高分子中空微粒子等の白色顔料とゲル化剤を含み、顔料の沈降が防止されると共に流動性が極力損なわれないように配合された白色顔料インキが充填され、そのインキの後端にインキの消耗と共にインキと追随するフォロアが設けられてなる請求項１に記載の加圧式のボールペン。
【請求項３】
先端ボールがチップ先端のボール抱持部の内縁に密接するように先端ボールの背面にバネ圧が付与されてなる請求項１に記載の加圧式のボールペン。
【請求項４】
ボールペンのチップは、前端に先端ボールを有し、内孔で先端ボールの背面に当接するアイドル部材を有し、そのアイドル部材の背面に直接又は受け部材を介してスプリングが配設されて、そのスプリングによって先端ボールがチップのボール抱持部の内縁に押圧されるよう構成されたことを特徴とする請求項１に記載の加圧式のボールペン。
【発明の詳細な説明】
【０００１】
【産業上の利用分野】
本発明は、初期筆記でインキ切れしやすいインキを使用したボールペン、インキに種々のフィラーが混入されたボールペン、紙面に筆記した筆跡が消しゴムでの擦過により容易に消去できるインキが充填されたボールペン、誤記等を白色のインキで隠蔽することで修正可能とする加圧式のボールペンに関する。
【０００２】
【従来の技術】
従来、誤記等を修正するために白色顔料を用いた液体塗布具が知られている。
また、白色顔料と溶剤が分離しやすい為にこの種の液体塗布具は可撓性のある容器にインキとボール等が封入されており、使用に際して振って攪拌する必要がある。また、インキを吐出する為に容器の側面を押圧して行うが、インキ残量が少なくなった時には容器の側壁を強く押してもインキが吐出されないという苛立たしさがある。またボールペン式の場合、乾燥でインキが固化して塗布先端部が目詰しやすく正常に戻すのに手間がかかる問題がある。
また、粘度が高く流出しにくいインキ、糊などの固まりやすいインキ、金属粉や種々の微少膜片などが混入されたインキ、消しゴムでの擦過により容易に消去可能となるインキ等を使用した筆記具も上記塗布具と同様な問題が存在する。
【０００３】
また、一般的に粘性の低いインキ又は剪断減粘性を有したインキを使用したボールペンは、インキの流出量が多く（筆記濃度を上げるため）インキ収容管の径を太くしてインキの搭載量を多くしている。また、インキの粘度は油性ボールペンのインキに比べて小さいのでインキ収容管に対する流動抵抗は小さい。従って、インキの自重や落下あるいはノック衝撃が加わることによりインキ漏れ（インキ収容管の後端にインキが逆流する）が生じやすい。その為に、通常はインキの後端に筆記時のインキの消耗に追随して移動するが、インキの自重や衝撃に対してインキの逆流を抑制するグリース状のフォロアが、また、必要によりフォロア棒がフォロア内に浸漬されて設けられている。しかしながら、フォロアを設けても上向き筆記をした時にはチップのボール背面のインキが無くなると、インキのヘッドが直に加わる為に顕著な逆流が生じて手や衣服を汚す危険がある。また、インキの粘度が低く流出量が多いが故に、チップ側を下向きにした場合に先端ボールとチップ抱持部の隙間が生じるとインキが滲みでる（直流）問題が存在する。特に、誤記等を修正するために白色顔料を用いた液体塗布具の場合には、インキの流量を多くすることや、乾燥による目詰まり排除などの理由で、筆圧によって先端ボールが後退する寸法が大きくとってあり、先端ボールの周面とチップのボール抱持部の内面との間の隙間が大きい。
【０００４】
ところで、筆跡を消しゴムで擦過することによって消去可能とするボールペン用インキは、従来よりさまざま提案されている。それらの多くは、紙面への固着性が弱く指で擦過する程度で容易に剥離してしまう欠点があったり、また逆に消しゴムできれいに消去できない程度のものである。その中で十分使用に耐える可能性があるものとして、特開平１０−１９５３６６号公報には、水と、顔料粒子、０℃以下のガラス転移温度又は造膜温度を有する樹脂、ゲル化剤を含有する消しゴムで消去可能なインキを充填したボールペンが開示されている。また特開平１２−１３６３３９号公報には、水と、着色樹脂粒状体と、ガラス転移温度又は最低造膜温度が０℃を越え、且つ、４０℃未満の樹脂と、剪断減粘性付与剤を含有する消しゴム消去性ボールペン用水性インキ組成物が開示されている。
【０００５】
【発明が解決しようとする課題】
本発明は、初期筆記でインキがとぎれやすいインキを使用したボールペン、インキに種々のフィラーが混入されたボールペン、紙面に筆記した筆跡が消しゴムでの擦過により容易に消去できるインキが充填されたボールペン、誤記等を白色のインキで隠蔽することで修正可能とするボールペンなどを加圧作用で支援して筆記可能とする。主として、酸化チタン、高分子中空微粒子等の白色顔料とゲル化剤を含み、顔料の沈降が防止されると共に流動性が損なわれないように配合された白色顔料インキと、ポンピングによる加圧機構を設けることによって、従来のように白色顔料と溶剤とが分離するような問題がなく、従ってインキを攪拌する必要がなく、筆記に際して容器の側面を押圧するようなこともない使い勝手の良い加圧式のボールペンを適正な加圧力を容易に設定して提供可能とする。
【０００６】
【課題を解決するための手段】
本発明は、上記課題を達成する為に以下の構成を有する。
請求項１に記載の発明に係る加圧式のボールペンは、先端にボールペンのチップと後方にインキ収容管を備え、インキ収容管にインキとインキの後端にインキと追随するフォロアが充填されて、更にその後方のインキ収容管またはインキ収容管の後端に一体となるように設けられた筒体の内孔にポンピング式の加圧機構が設けられてなる加圧式のボールペンに於いて、ポンピング式の加圧機構は、フォロアの後端に対面する位置に、シール面と段部が形成され、その段部に止着されると共にシール面に常時は密接して、フォロアの後端との間の空間を密閉する弾性体よりなる弁機構部と、その弁機構部の後方に、ノックスプリングによって常時後方に附勢された状態で前後退可能にノック棒が設けられて、前進させた時に前記弁機構部とノック棒の前端との間に形成される空間部が圧縮されてなるノック機構部とで構成され、前記空間部が適宜圧縮された状態でその内圧増加によって、弁体と前記シール面との間に隙間を生じるように構成されてなる。
【０００７】
請求項２に記載の発明に係る加圧式のボールペンは、請求項１に記載の加圧式のボールペンに於いて、インキ収容管には、少なくとも酸化チタン、高分子中空微粒子等の白色顔料とゲル化剤を含み、顔料の沈降が防止されると共に流動性が極力損なわれないように配合された白色顔料インキが充填され、そのインキの後端にインキの消耗と共にインキと追随するフォロアが設けられてなる。
【０００８】
請求項３に記載の発明に係る加圧式のボールペンは、請求項１に記載の加圧式のボールペンに於いて、先端ボールがチップ先端のボール抱持部の内縁に密接するように先端ボールの背面にバネ圧が付与されてなる。
【０００９】
請求項４に記載の発明に係る加圧式のボールペンは、請求項１に記載の加圧式のボールペンに於いて、ボールペンのチップは、前端に先端ボールを有し、内孔で先端ボールの背面に当接するアイドル部材を有し、そのアイドル部材の背面に直接又は受け部材を介してスプリングが配設されて、そのスプリングによって先端ボールがチップのボール抱持部の内縁に押圧されるよう構成されてなる。
【００１０】
【実施例】
図１乃至図４は、実施例であるボールペン５をリフィールとしてノック式筆記具に搭載した状態を示している。このノック式筆記具は、前端及び後端を開口して側面の円周上の一部に後端縁から所要距離前方位置まで連通した軸方向の長い窓孔１ｄを穿設した軸筒１と、軸筒１の窓孔１ｄに対向する位置に上方向及び横方向に弾性変位可能な玉部１ｂを有して当該玉部１ｂには係止段部１ｃを設け、また後端部には軸筒１と接合した基部１ｅを有するクリップ１ａを樹脂により一体成形し、また前端を開口したコの字状の基部１ｅの上端にはスリットに囲まれた箇所を弾性片１ｆとなし、当該弾性片１ｆの下端には適宜傾斜面１ｇが形成されている。また、軸筒１の前端には先軸２が螺合などの手段により着脱可能で固定されている。
【００１１】
また一方、詳細は後述するが、ボールペンのチップ６の外周ににリターンスプリング４を嵌装した状態で軸筒１の後端開口部から軸筒１の内部に挿入して、リターンスプリング４の前端は先軸２の内段部２ｂに当接させ、後端はインキ収容管１２の前端に当接させている。
【００１２】
またノック筒３は、前端開口、後端閉塞上の筒体で、外周部の同軸線上に前方から係止突起３ａ、リブ３ｂ、セーフティ片３ｃが一体に形成されている。
ノック筒３は、その内孔に上記ボールペン５のインキ収容管１２を嵌挿させた状態で軸筒１の後端から挿入されて、係止突起３ａ、リブ３ｂ、セーフティ片３ｃが軸筒１の窓孔１ｄに嵌装し、セーフティ片３ｃの後端が上記クリップ１ａの基部１ｅに設けた弾性片１ｆの前端の段部１ｈに当接して抜け止め係止されている。
【００１３】
以上により、ノック筒３の後端を前方へ押圧すると係止突起３ａがクリップ１ａの玉部１ｂを押し上げてその前方に移動して係止段部１ｃと係合する状態に位置したときにボールペン５のチップ７が先軸２の先端孔２ａから突出する。（図２参照）と共にクリップ１ａの先端部を僅かに上方へ又は横方向へ弾性変位させて係止段部１ｃと係止突起３ａの係合を解除してリターンスプリング４によってボールペン５をセーフティ片３ｃが弾性片１ｆの段部１ｈに衝合するまで後退せしめた状態でボールペン５のチップ７が先軸２内部に没入するように各部の寸法を適宜に設定して構成している。尚、ボールペン５の交換は軸筒１から先軸２を外して行うが、ボールペン５の交換をしない使い捨ての場合には、軸筒１と先軸２は一体に形成することができる。
【００１４】
図３及び図４は上述したボールペン５を示している。
先ず図３に示すように、ボールペン５のインキ収容管１２内には、低粘度のインキや剪断減粘性を有したインキ、主として白色顔料インキ１３が充填され、そのインキの後端にインキの消耗と共にインキと追随するグリース状のフォロア１４が充填されている。フォロア１４はインキと相溶性が無く、またインキの蒸発を防止する性能を有している。また、必要に応じてフォロア１４内にフォロアと略同等の比重を有する樹脂製のフォロア棒１５が浸漬される。尚、フォロアは例えばシリコンゴム等の追従体とすることも可能である。
【００１５】
白色顔料インキ１３は、少なくとも酸化チタン、高分子中空微粒子等の白色顔料とゲル化剤を含み、顔料の沈降が防止されると共に流動性が極力損なわれないように配合された白色顔料インキである。又、インキは剪断減粘性を有しているので先端ボールの回転で粘度が低下するのと相まって隠蔽性の高い塗布が可能である。また上述したようにインキは、粘度が高く流出しにくいインキ、糊などの固まりやすいインキ、金属粉や種々の微少膜片などが混入されたインキ、消しゴムでの擦過により容易に消去可能となるインキ等を使用することが可能である。
【００１６】
また、図３に示すように、チップ６は、筒体の前方にテーパー状の段部６ｂを介して適宜細径とした先端部を有し、その内孔前端のボール抱持部６ａの内縁が先端ボール７と液密状に密接するように形成されている。
また、先端ボール７の背面に当接してボール状のアイドル部材９が設けられ、その時アイドル部材９は段部６ｂの内面に対面してインキ流路となる隙間６ｄが形成されるように設けられている。
尚、アイドル部材９は、通常ボール状となされるがそれ以外の軸状でも可能である。
【００１７】
また更にチップ６は、アイドル部材９の背面に当接する座部８ｂとインキを流入可能とするチャンネル部８ａと軸心にチップ上向きでインキの導孔が密閉可能となる弁機構とを一体に有した受け部材８が設けられ、その受け部材８の後端にスプリング１１が配設されて、筆記作業に伴う先端ボール７の押圧によって先端ボール７と連動して受け部材８が後退自在となるように構成されている。
【００１８】
また弁機構について詳説すると、上記受け部材８は、前端の所要箇所に溝状のチャンネル部８ａが形成され、軸心部に弁室８ｆが設けられている。また、弁室８ｆの前端に段部８ｃが、後端にテーパー状或いは球面状の弁体受け座８ｄが形成されると共に弁体受け座８ｄの後方に導孔８ｅが貫通している。そして弁室８ｆ内に球状の弁体１０（球体以外の形状も可）が受け部材８に抜出不能に遊嵌されて構成されている。また図に示すように、段部８ｃがチャンネル部８ａの溝にかかる状態に設けられているので弾性変形によって容易に弁体１０を弁室８ｆ内に挿入することが可能である。
【００１９】
ところで、弁体１０が抜出不能となされることは、弁機構がチップ内に正常に組み込まれるために、あらかじめ受け部材８の弁室８ｆに弁体１０を遊嵌しておくのが望ましいためである。弁体が軸状などの場合には、傾きやすいのでこのことが必要である。尚、弁体がボール状の場合には、弁体がチップ内孔の片側によっても極端に干渉することもなく受け部材を挿入して弁室内に弁体を挿入する事が可能である。従って、弁体を抜出不能とするための上記段部８ｃは必ずしも必要とするものではない。
またその他、弁機構は上記構造より複雑となるが、チップが下向きの際に膜状の蓋が開口してインキの流出を可能とし、チップが上向きの際に蓋が閉まってインキの逆流を防止する構造などが考えられる。
【００２０】
また、チップ６後端の内孔面に係止段部６ｃが設けられている。
この係止段部６ｃはチップ６の素材やチップの組立工程などの設計都合によって種々の手段で形成可能である。スプリング１１はこの係止段部６ｃと受け部材８の後端部８ｇとの間に設けられて、受け部材８の座部８ｂがアイドル部材９の背面を押圧し、アイドル部材９が先端ボール７の背面を押圧する。
【００２１】
ところで、先端ボール７がボール抱持部６ａの内面に密接することはインキが高粘度であっても筆記先端の乾燥、インキの直流防止に対し極めて重要である。従って、特に金属チップの場合には先端ボール７を抱持するチップ内面の表面粗さ、カシメによる密接精度を改善する為に内面の研削仕上げ、カシメ精度を上げる為の二次的な塑性加工が配慮される。又、必要によっては先端ボールとの密接面に表面処理などが配慮される。
また実施例に示されるボールペンは、インキの吐出量を多くする為や見詰まり排除から通常の筆記用のボールペンに比較して先端ボールの後退する寸法が大きく設定されている。
【００２２】
また、インキ収容管１２の後端にはポンピング式の加圧機構が設けられる。その構成については以下に説明する。
【００２３】
ポンピング式の加圧機構は、インキ収容管内部が密室状態と成される弁機構部と、その弁機構部の後方に形成される空間部を圧縮するように設けられたノック機構部とで構成されている。
先ず、弁機構部は、インキの後端に接触してインキの消耗と共に追随するよう配設されたフォロアの後端に位置して配設される。
【００２４】
実施例に於いて弁機構部は以下の様に構成されている。
先ず、インキ収容管１２には、フォロア１４の後端に対面する位置に周状に段部１２ｄが形成されている。段部１２ｄの後面は平坦で、前面にはテーパー状にシール面１２ｅが形成されると共に後端に孔が貫通している。
一方、弁部材１６は、合成ゴムやシリコンゴムなどの弾性体で形成され、後端に膨出した頭部１６ａと前端に傘状の当接面１６ｄが軸部１６ｃで一体に結合された形状で設けられている。弁部材１６は、頭部１６ａの前面が前記段部１２ｄの後面に当接し、当接面１６ｄが段部１２ｄの前面に密接して取付けられ、弁機構部が構成されている。尚、頭部１６ａ前面の所要箇所には当接面１６ｄに通じる溝部１６ｂが設けられている。また、密接面の形状は上述した実施例に限らず、平坦状、段状、凹凸状など設計都合で対応させることが可能である。また、シール面と弁部材を止着する段部を別に設けることも可能である。
【００２５】
また、弁機構部の後方にノック機構部が配設される。
インキ収容管１２の後端部側面に、後端側から先方に向かって細くなるテーパー状のスリット部１２ｂが形成され、その前端に段部１２ｃを有して軸方向前方所定長さのスリット部１２ａが形成されている。
また、ノック棒１７は、後端に鍔部とその前方に軸部が形成され、鍔部の前端に段部１７ｂが設けられ、軸部外周の略中間に突部１７ａと軸部外周の略前端に周状の溝部１７ｃが設けられて、その溝部１７ｃに一例としてゴム等の弾性体や弾性のある成形樹脂などより成るシールリング１８が止着されている。尚、シールリング１８は、気密性、滑り性のよいものが選択される。また、他潤滑剤を介在させるなど配慮される。また、シールリング部は軸部外周に一体に形成することも可能である。
【００２６】
またノック棒１７は、インキ収容管１２の後端から挿入され、上記段部１７ｂとインキ収容管１２の後端との間にノックスプリング１９が敷設されると共に、突部１７ａが上記テーパー状のスリット部１２ｂを弾性的に拡開して、突部１７ａが段部１２ｃの前面に係止され、ノックスプリング１９によってインキ収容管１２に対しノック棒１７は常時後方に附勢される。また、ノック棒１７の軸部前方がインキ収容管１２の後端孔に嵌入し、シールリング１８の外周部が後端孔の内周部に摺接する。そのとき、シールリング１８は、スリット部１２ａの略前端にかかる直前の状態に位置しており、従って、弁機構部とノック棒１７の前端との間に形成される空間部２０は外気と連通している。即ち、ノック棒１７の前進作動の直前において、インキ収容管１２の空間部２０は外気と連通され、ノック棒１７が適宜前進した直後においてシールリング１８の外周部がインキ収容管１２の内周部に密接することで外気と遮断され、空間部２０の縮小と共に加圧可能となるようになされている。ノック機構部は以上のように構成される。
【００２７】
また、ノック棒１７を前進して空間部２０を適宜圧縮した状態で、その内圧増加によって、弁部材１６の当接面１６ｄが僅かに変形されて、前記シール面１２ｅとの間に隙間を生じ、圧縮された空気がフォロア１４の後端に流入する。
（図４参照）
【００２８】
ところで、図５に示すボールペン２１は、ボールペンの別の実施形態を示している。上述したボールペン５との相違はチップの構造と弁機構部の構造である。図に示すようにチップ２２は、筒体の前方にテーパー状の段部２２ｂを介して適宜細径とした先端部を有し、その内孔前端のボール抱持部２２ａの内縁が先端ボール２３と液密状に密接するように形成されている。
また、先端ボール２３の背面に当接して球面状の先端部２５ｂを有したアイドル部材２５が設けられ、その時アイドル部材２５は段部２２ｂの内面に対面してインキ流路となる隙間２５ｄが形成されるように設けられている。また、アイドル部材２５の後部外周には所要箇所で溝部２５ａが形成され、後端部は通常略平坦に形成される。尚、前記先端部２５ｂは当接部を凸部として、あるいは当接部を凹部として、側面がテーパー状に形成されてもよいし、その他設計都合によって適宜に設定される。
【００２９】
また更にチップ２２は、アイドル部材２５の背面に前端を当接させ、軸心にチップ上向きでインキの導孔が密閉可能となる弁機構とを一体に有した受け部材２４が設けられ、その受け部材２４の後端にスプリング２７が配設されて、筆記作業に伴う先端ボール２３の押圧によって先端ボール２３と連動して受け部材２４が後退自在となるように構成されている。
【００３０】
また弁機構について詳説すると、受け部材２４の前方軸心部に弁室２４ａが設けられ、その弁室の後端にテーパー状あるいは球面状の弁体受け座２４ｂが形成されると共に弁体受け座２４ｂの後方に導孔２４ｃが貫通されている。そして弁室２４ａ内に球状の弁体２６（球体以外の形状も可）が遊嵌されている。尚、弁室前端の周壁に所要箇所で突条を設けて、弾性変形によって容易に弁体２６を弁室２４ａ内に挿入可能とすると共に弁体２６を弁室内に抜出不能に遊嵌することも可能である。
【００３１】
また、チップ２２後端の内孔面に係止段部２２ｃが設けられている。この係止段部２２ｃはチップ２２の素材やチップの組立工程などの設計都合によって種々の手段で形成可能である。スプリング２７はこの係止段部２２ｃと受け部材２４の後端部２４ｄとの間に設けられて、受け部材２４の前端部がアイドル部材２５の背面を押圧し、アイドル部材２５が先端ボール２３の背面を押圧する。
【００３２】
また、弁機構部は、基本的には上述した実施例と同じで、シール面２８ｂに密接する弁部材２９の当接面が球体２９ｂとなされた点である。即ち、弁部材の形態はその材質や設計都合によって種々考えられる。
【００３３】
また、チップは上述した実施例に限らず、インキ流入可能なチャンネルを有した座に先端ボールが略当接した状態で、先端ボールが回転自在に抱持されるようカシメられて設けられる。また、チップの内孔部にスプリングが内挿され、チップの後端が適宜カシメられてスプリングの後端が抜出不能となされる。
また、チップとインキ収容管の間に継ぎ手を設け、インキの逆流防止を完璧と成すために、継ぎ手の軸心部に弁室を設け、その弁室内に球状の弁体が遊嵌されると共に、チップを上向きにした状態で導孔を閉塞してインキの逆流を防止し、下向きにした状態では弁体がチップの後端孔を閉塞しない状態に規制してインキがチップ内孔部に流入するように構成することができる。
尚、弁体は弁体受け座に密接する側をテーパー状又は球面状に成した軸状体とすることもできる。
また、ボールペンは、ノック式筆記具に搭載するリフィールの他、筆記先端にシールキャップを設けて、キャップ式として用いられる。
【００３４】
【作用】
先ず、図１はノック式筆記具の携帯時を示すものである。この状態から、ノック筒３の後端を前方へ押圧すると係止突起３ａがクリップ１ａの玉部１ｂを押し上げてその前方に移動して係止段部１ｃと係合したときにボールペンリフィール５のチップ７が先軸２の先端孔２ａから突出する。（図２参照）
この状態では、インキ収容管１２略後端の空間部２０はスリット部１２ａを通じて外気と連通しており、リターンスプリング４とノックスプリング１９の設定力はそのようにバランスがとられている。
また、再びノック式筆記具を携帯する時には、クリップ１ａの先端部を僅かに上方へまたは横方向へ弾性変位させて係止段部１ｃと係止突起３ａの係合を解除すると、リターンスプリング４によってボールペン５が後退し、チップ７が先軸２内部に没入する。
【００３５】
次に、ポンピング式の加圧機構の作用を以下に説明する。
図２に示す状態からノック筒３の後端を押圧して前進すると、チップ６の前進が阻止されると共に、インキ収容管１２に対しノック棒１９が前進を開始する。
図４に示すように、シールリング１８の外周部がインキ収容管１２内周部全周に密接した時点でインキ収容管略後端の空間部２０が外気と遮断されると共に、ノック棒１７が更に前進することによってシールリング１８の外周部がインキ収容管の内周部に密接して摺動し、空間部２０の縮小と共に内圧が上昇する。その内圧の上昇によって所定圧で弁部材１６の当接面１６ｄと段部１２ｄのシール面１２ｅとの密接状態が解除され、空気が溝部１６ｂを通過して押し込まれることによって、フォロアの後端が加圧されてインキのチップ側への流動性が支援される。
【００３６】
そのことは、落下衝撃やインキの流動性の悪さ等に起因して先端ボールの周面からインキが離れてしまい連続的なインキの流出がとぎれるのを防止する作用ととぎれた時に回復する作用となる。また、インキの特性などによって適正な加圧力が設定される。
【００３７】
次に、チップの作用を以下に説明する。
チップ６の先端部に筆記（塗布）のための押圧がかからない状態では、スプリング１１の押圧で先端ボール７がチップのボール抱持部６ａの内縁に密接されているのでインキの逆流は防止されている。また、チップ６が上向きのときには弁体１０が弁体受け座８ｄに密接して導孔８ｅを密閉するので、上向き筆記されてチップの先端ボール７背面のインキがなくなっても、インキにヘッドが掛かり逆流することがない。従って、チップ６を下向きにした時にインキが即流出可能となる。因みに弁体を有しない構造では、上向き筆記をするとインキが逆流する。特に、実施例のように先端ボールが大きく後退する場合には極端な逆流が生じる。
【００３８】
また、上記の記載を補足すると、インキの直流及び逆流はスプリング１１による先端ボール７への押圧で果たされるが、更に弁体を共存させることは、ノック式筆記具に搭載された場合のノック衝撃や、ボール抱持部の加工バラツキによる先端ボール７との密接不完全状態や、ボール抱持部と先端ボール７との隙間に固形物が付着した場合の密接不完全状態となる際の逆流問題が補正可能となる。
【００３９】
チップ６は、チップの内孔を摺動する受け部材８の軸心に弁体１０を遊嵌することからかなり太径のものとなるが、チップの先端部を細くし、アイドル部材９５を設けることによって、先端ボール７を適宜大きさに設定することが可能であり、必要な描線幅の筆記具を選択できる。
また、万一先端ボール７が過酷な使用や何らかの事故で脱落した場合に、アイドル部材９がチップの段部６ｂの内面に密接してインキが直流する事故が防止可能となる。
【００４０】
次に、フォロア、フォロアの作用を以下に説明する。
フォロア棒１５は、インキ収容管が大径である場合に使用される。即ち、グリース状やゲル状のフォロア１４は、インキ収容管が大径の場合に衝撃などの影響で変形を受け破壊されやすいという問題がある。フォロア内にフォロアと略同等の比重を有する樹脂製のフォロア棒を浸漬させることにより剛性を上げることが可能となる。フォロア棒は、インキ収容管が大径で逆流しやすい場合や、上向き塗布を繰り返した時や衝撃がかかった時に性能を発揮するものであって、構成要素として必須のものではなく、特に誤記修正用の塗布具は上向きに使用されることは少ないので必ずしも必要としない。
【００４１】
尚、ボールペン２３の基本的な作用はボールペン５と同じなので説明は省略する。また、再びノック式筆記具を携帯する時には、クリップ１ａの先端部を僅かに上方へまたは横方向へ弾性変位させて係止段部１ｃと係止突起３ａの係合を解除すると、リターンスプリング４によってボールペン５が後退し、チップ７が先軸２内部に没入する。
【００４２】
【発明の効果】
本発明のノック式筆記具の構成及び作用は以上の如くであり、初期筆記でインキ切れしやすいインキ、乾燥しやすいインキ、種々のフィラーが混入された目詰まりしやすいインキ、紙面に筆記した筆跡が消しゴムでの擦過により容易に消去できるインキなどを使用したボールペンが加圧作用に支援されて問題なく提供可能となる。
また、少なくとも酸化チタン、高分子中空微粒子等の白色顔料とゲル化剤を含み、顔料の沈降が防止されると共に流動性が損なわれないように配合された白色顔料インキと、ポンピングによる加圧機構を設けることによって、従来のように白色顔料と溶剤とが分離するような問題がなく、従ってインキを攪拌する必要がなく、筆記に際して容器の側面を押圧するようなこともなく、更にノック式筆記具に搭載して、煩わしいキャップの着脱もない使い勝手の良い誤記修正用ボールペンが提供可能となる。
【図面の簡単な説明】
【図１】本発明の実施例である加圧式のボールペンをノック式筆記具に搭載した一部非断面の縦断面図で、筆記先端が没入した状態を示している。
【図２】ノックして、筆記先端を突出した状態に於ける一部非断面の縦断面図である。
【図３】実施例である加圧式のボールペンの全体を示す縦断面図である。
【図４】実施例である加圧式のボールペンの加圧状態を示した断面図である。
【図５】別の実施形態である加圧式のボールペンの全体を示した縦断面図である。
【符号の説明】
１　　　　　軸筒
１ａ　　　クリップ
１ｂ　　　玉部
１ｃ　　　係止段部
１ｄ　　　窓孔
１ｅ　　　基部
１ｆ　　　弾性片
１ｇ　　　傾斜面
１ｈ　　　段部
２　　　　　先軸
２ａ　　　先端孔
２ｂ　　　段部
３　　　　　ノック筒
３ａ　　　係止突起
３ｂ　　　リブ
３ｃ　　　セーフティ片
４　　　　　リターンスプリング
５　　　　ボールペン
６　　　　　チップ
６ａ　　　　ボール抱持部
６ｂ　　　段部
６ｃ　　　　係止段部
６ｄ　　　隙間
７　　　　先端ボール
８　　　　受け部材
８ａ　　　チャンネル部
８ｂ　　　座部
８ｃ　　　段部
８ｄ　　　弁体受け座
８ｅ　　　導孔
８ｆ　　　弁室
８ｇ　　　後端部
９　　　　アイドル部材
１０　　　弁体
１１　　　スプリング
１２　　　インキ収容管
１３　　　インキ
１４　　　フォロア
１５　　　フォロア棒
１６　　　弁部材
１６ａ　　頭部
１６ｂ　　溝部
１６ｃ　　軸部
１６ｄ　　当接面
１７　　　ノック棒
１７ａ　　突部
１７ｂ　　段部
１７ｃ　　溝部
１８　　　シールリング
１９　　　ノックスプリング
２０　　　空間部
２１　　　ボールペン
２２　　　チップ
２２ａ　　ボール抱持部
２２ｂ　　段部
２２ｃ　　係止段部
２３　　　先端ボール
２４　　　受け部材
２４ａ　　弁室
２４ｂ　　弁体受け座
２４ｃ　　導孔
２４ｄ　　後端部
２５　　　アイドル部材
２５ａ　　溝部
２５ｂ　　先端部
２６　　　弁体
２７　　　スプリング
２８　　　インキ収容管
２８ａ　　段部
２８ｂ　　シール面
２９　　　弁部材
２９ａ　　溝部
２９ｂ　　球体
【図１】
2004050798.tif 000003
【図２】
2004050798.tif 000004
【図３】
2004050798.tif 000005
【図４】
2004050798.tif 000006
【図５】
2004050798.tif 000007